(57)【要約】【課題】複数の記録層を有する情報記録媒体への情報の記録を短時間で行う。【解決手段】複数の記録層を有する情報記録媒体にユーザデータが記録された際に、前記複数の記録層のなかにユーザデータが記録されていない未記録層がある場合には、いずれかの記録層に前記未記録層を特定するための情報が記録される（ステップ５１９）。これにより、未記録層へ何らかのデータの記録を行う必要がなくなり、情報記録媒体への記録時間を短縮することが可能となる。【選択図】図４
2005346785.tif 000002
【特許請求の範囲】
【請求項１】
複数の記録層を有する情報記録媒体に記録を行う記録方法であって、
情報が記録された前記情報記録媒体にユーザデータが記録されていない未記録層が存在する場合に、前記複数の記録層のうちの少なくとも１つの記録層に、前記未記録層を特定するための情報を記録する工程を含む記録方法。
【請求項２】
前記未記録層を特定するための情報を記録する工程に先立って、前記複数の記録層のなかに前記未記録層が存在するか否かを判断する工程を更に含むことを特徴とする請求項１に記載の記録方法。
【請求項３】
前記未記録層を特定するための情報は、前記未記録層に関する情報であることを特徴とする請求項１又は２に記載の記録方法。
【請求項４】
前記未記録層を特定するための情報は、前記未記録層を除く記録層に関する情報であることを特徴とする請求項１又は２に記載の記録方法。
【請求項５】
前記未記録層を特定するための情報は、前記情報記録媒体における管理情報が記録される領域に記録されることを特徴とする請求項１〜４のいずれか一項に記載の記録方法。
【請求項６】
複数の記録層を有する情報記録媒体であって、
前記複数の記録層のうちユーザデータが記録されていない未記録層を特定するための情報が記録されている情報記録媒体。
【請求項７】
前記未記録層を特定するための情報は、前記未記録層に関する情報であることを特徴とする請求項６に記載の情報記録媒体。
【請求項８】
前記未記録層を特定するための情報は、前記未記録層を除く記録層に関する情報であることを特徴とする請求項６に記載の情報記録媒体。
【請求項９】
前記未記録層を特定するための情報は、管理情報が記録される領域に記録されることを特徴とする請求項６〜８のいずれか一項に記載の情報記録媒体。
【請求項１０】
レーザ光を照射して、請求項６〜９のいずれか一項に記載の情報記録媒体から情報を再生する再生方法であって、
前記情報記録媒体に記録されている、未記録層を特定するための情報に基づいて特定された未記録層への前記レーザ光の集光禁止を設定する工程を含む再生方法。
【請求項１１】
レーザ光を照射して、請求項６〜９のいずれか一項に記載の情報記録媒体から情報を再生する再生方法であって、
アドレスの読み込みエラーがあると、前記情報記録媒体に記録されている、未記録層を特定するための情報に基づいて、前記レーザ光の集光位置を調整する工程を含む再生方法。
【請求項１２】
複数の記録層を有する情報記録媒体に対し、情報の記録、再生及び消去のうち少なくとも記録を行う情報記録装置であって、
前記複数の記録層のうち記録対象の記録層に情報を記録する記録手段と；
前記複数の記録層のなかにユーザデータが記録されていない未記録層が存在する場合に、前記記録手段を介して、前記複数の記録層のうちの少なくとも１つの記録層に、前記未記録層を特定するための情報を記録する処理装置と；を備える情報記録装置。
【請求項１３】
前記未記録層を特定するための情報は、前記未記録層に関する情報であることを特徴とする請求項１２に記載の情報記録装置。
【請求項１４】
前記未記録層を特定するための情報は、前記未記録層を除く記録層に関する情報であることを特徴とする請求項１２に記載の情報記録装置。
【請求項１５】
前記未記録層を特定するための情報は、前記情報記録媒体における管理情報が記録される領域に記録されることを特徴とする請求項１２〜１４のいずれか一項に記載の情報記録装置。
【請求項１６】
請求項６〜９のいずれか一項に記載の情報記録媒体から情報を再生することが可能な情報再生装置であって、
前記情報記録媒体の複数の記録層のうち再生対象となる記録層にレーザ光を集光する光ピックアップ装置と；
前記情報記録媒体から未記録層を特定するための情報を取得する取得手段と；
前記未記録層を特定するための情報に基づいて、前記光ピックアップ装置を制御し、前記再生対象となる記録層から情報を再生する処理装置と；を備える情報再生装置。
【請求項１７】
前記処理装置は、前記未記録層を特定するための情報に基づいて特定された未記録層への前記レーザ光の集光を禁止することを特徴とする請求項１６に記載の情報再生装置。
【請求項１８】
前記処理装置は、アドレスの読み込みエラーがあると、前記未記録層を特定するための情報に基づいて、前記レーザ光の集光位置を調整することを特徴とする請求項１６又は１７に記載の情報再生装置。
【発明の詳細な説明】
【技術分野】
【０００１】
本発明は、記録方法、情報記録媒体、再生方法、情報記録装置及び情報再生装置に係り、更に詳しくは、複数の記録層を有する情報記録媒体に対して情報の記録を行う記録方法、複数の記録層を有する情報記録媒体、複数の記録層を有する情報記録媒体から情報の再生を行う再生方法、複数の記録層を有する情報記録媒体に情報の記録を行う情報記録装置、及び複数の記録層を有する情報記録媒体から情報の再生を行う情報再生装置に関する。
【背景技術】
【０００２】
近年、デジタル技術の進歩及びデータ圧縮技術の向上に伴い、音楽、映画、写真及びコンピュータソフトなどの情報（以下「コンテンツ」ともいう）を記録するための情報記録媒体として、ＤＶＤ（digital versatile disc）などの光ディスクが注目されるようになり、その低価格化とともに、光ディスクを情報記録の対象媒体とする光ディスク装置が普及するようになった。
【０００３】
また、コンテンツの情報量は年々増加する傾向にあり、光ディスクの記録容量の更なる増加が期待されている。そして、光ディスクの記録容量を増加させる手段として複数の記録層を有する光ディスク（以下、「多層ディスク」ともいう）及び該多層ディスクをアクセス対象とする装置の開発が盛んに行われている（例えば、特許文献１参照）。
【０００４】
この多層ディスクは複数の記録層を有しているため、単一の記録層からなる記録媒体に比べより多くのデータを記録することが可能となる。例えば、２つの記録層を有する２層ＤＶＤ-ＲＯＭでは、記録層が１層のみの１層ＤＶＤ-ＲＯＭの約２倍のデータの記録をすることが可能となっている。
【０００５】
この２層ＤＶＤ-ＲＯＭでは、２つの記録層のいずれにもデータが記録されている必要がある。これは、例えば第１の記録層がデータが記録された記録層であり、第２の記録層がデータが記録されていない未記録層であると、第１の記録層を再生中に振動等により第２の記録層にレーザ光が集光すると、アドレス情報が取得できなくなり（アドレスエラー）、その結果、再生が継続できなくなるおそれがあるからである。
【０００６】
同様の理由から、例えば２つの記録層を有する２層ＤＶＤ＋Ｒ（DVD+recordable）では、１つの記録層にのみユーザデータが記録された状態でディスククローズする場合には、ユーザデータが記録されていない記録層に何らかのデータを記録する必要があった。一例として、図１３（Ａ）に示されるように、２層ＤＶＤ＋Ｒにおいて、第１の記録層Ｌ０のみでユーザデータＵＤの記録が終了し、ディスククローズする場合には、図１３（Ｂ）に示されるように、第２の記録層Ｌ１のほぼ全面にリードインＬＩとリードアウトＬＯとからなるデータが記録される。従って、このような場合にはディスククローズ処理に多大の時間を要するという不都合があった。
【０００７】
【特許文献１】特開平０８−０９６４０６号公報
【発明の開示】
【発明が解決しようとする課題】
【０００８】
本発明は係る事情の下になされたもので、その第１の目的は、複数の記録層を有する情報記録媒体への情報の記録を短時間で行うことが可能な記録方法及び情報記録装置を提供することにある。
【０００９】
また、本発明の第２の目的は、複数の記録層を有しユーザデータの未記録層が存在しても、情報を安定して再生することが可能な情報記録媒体を提供することにある。
【００１０】
また、本発明の第３の目的は、複数の記録層を有する情報記録媒体に記録された情報を安定して再生することが可能な再生方法及び情報再生装置を提供することにある。
【課題を解決するための手段】
【００１１】
請求項１に記載の発明は、複数の記録層を有する情報記録媒体に記録を行う記録方法であって、情報が記録された前記情報記録媒体にユーザデータが記録されていない未記録層が存在する場合に、前記複数の記録層のうちの少なくとも１つの記録層に、前記未記録層を特定するための情報を記録する工程を含む記録方法である。
【００１２】
これによれば、複数の記録層を有する情報記録媒体において、複数の記録層のなかにユーザデータが記録されていない未記録層がある場合には、複数の記録層のうちの少なくとも１つの記録層に、未記録層を特定するための情報が記録される。
【００１３】
これにより、未記録層へ何らかのデータの記録を行う必要がないため、複数の記録層を有する情報記録媒体への記録時間を従来よりも短縮することが可能となる。従って、複数の記録層を有する情報記録媒体への情報の記録を短時間で行うことが可能となる。
【００１４】
この場合において、請求項２に記載の記録方法の如く、前記未記録層を特定するための情報を記録する工程に先立って、前記複数の記録層のなかに前記未記録層が存在するか否かを判断する工程を更に含むこととすることができる。
【００１５】
上記請求項１及び２に記載の各記録方法において、請求項３に記載の記録方法の如く、前記未記録層を特定するための情報は、前記未記録層に関する情報であることとすることができる。
【００１６】
上記請求項１及び２記載の各記録方法において、請求項４に記載の記録方法の如く、前記未記録層を特定するための情報は、前記未記録層を除く記録層に関する情報であることとすることができる。
【００１７】
上記請求項１〜４に記載の各記録方法において、請求項５に記載の記録方法の如く、前記未記録層を特定するための情報は、前記情報記録媒体における管理情報が記録される領域に記録されることとすることができる。
【００１８】
請求項６に記載の発明は、複数の記録層を有する情報記録媒体であって、前記複数の記録層のうちユーザデータが記録されていない未記録層を特定するための情報が記録されている情報記録媒体である。
【００１９】
これによれば、情報再生装置にセットされると、情報再生装置は情報の再生を行う際に、未記録層を特定するための情報に基づいて未記録層を特定することができるため、情報を安定して再生することが可能となる。
【００２０】
この場合において、請求項７に記載の情報記録媒体の如く、前記未記録層を特定するための情報は、前記未記録層に関する情報であることとすることができる。
【００２１】
上記請求項６に記載の情報記録媒体において、請求項８に記載の情報記録媒体の如く、前記未記録層を特定するための情報は、前記未記録層を除く記録層に関する情報であることとすることができる。
【００２２】
上記請求項６〜８に記載の各情報記録媒体において、請求項９に記載の情報記録媒体の如く、前記未記録層を特定するための情報は、管理情報が記録される領域に記録されることとすることができる。
【００２３】
請求項１０に記載の発明は、レーザ光を照射して、請求項６〜９のいずれか一項に記載の情報記録媒体から情報を再生する再生方法であって、前記情報記録媒体に記録されている、未記録層を特定するための情報に基づいて特定された未記録層への前記レーザ光の集光禁止を設定する工程を含む再生方法である。
【００２４】
これによれば、請求項６〜９のいずれか一項に記載の情報記録媒体から情報の再生を行う際には、情報記録媒体に記録された未記録層を特定するための情報に基づいて特定された未記録層へのレーザ光の集光を禁止することにより、未記録層以外の記録層にのみレーザ光を照射して情報の再生が行われる。従って、レーザ光が未記録層へ集光することによる再生エラーの発生を抑制することができ、情報記録媒体に記録された情報を安定して再生することが可能となる。
【００２５】
請求項１１に記載の発明は、レーザ光を照射して、請求項６〜９のいずれか一項に記載の情報記録媒体から情報を再生する再生方法であって、アドレスの読み込みエラーがあると、前記情報記録媒体に記録されている、未記録層を特定するための情報に基づいて、前記レーザ光の集光位置を調整する工程を含む再生方法である。
【００２６】
これによれば、請求項６〜９のいずれか一項に記載の情報記録媒体からの情報の再生中にアドレスの読み込みエラーがあると、情報記録媒体に記録された未記録層を特定するための情報に基づいて、レーザ光の集光位置が調整される。従って、レーザ光が未記録層に集光した場合には、レーザ光が再生対象の記録層に集光するように集光位置が調整されるため、情報記録媒体に記録された情報を安定して再生することが可能となる。
【００２７】
請求項１２に記載の発明は、複数の記録層を有する情報記録媒体に対し、情報の記録、再生及び消去のうち少なくとも記録を行う情報記録装置であって、前記複数の記録層のうち記録対象の記録層に情報を記録する記録手段と；前記複数の記録層のなかにユーザデータが記録されていない未記録層が存在する場合に、前記記録手段を介して、前記複数の記録層のうちの少なくとも１つの記録層に、前記未記録層を特定するための情報を記録する処理装置と；を備える情報記録装置である。
【００２８】
これによれば、複数の記録層のなかにユーザデータが記録されていない未記録層が存在する場合には、未記録層を特定するための情報が、複数の記録層のうちの少なくとも１つの記録層に記録される。
【００２９】
これにより、未記録層への何らかのデータの記録を行う必要がないため、複数の記録層を有する情報記録媒体への記録時間を従来よりも短縮することが可能となる。従って、複数の記録層を有する情報記録媒体への情報の記録を短時間で行うことが可能となる。
【００３０】
この場合において、請求項１３に記載の情報記録装置の如く、前記未記録層を特定するための情報は、前記未記録層に関する情報であることとすることができる。
【００３１】
上記請求項１２に記載の情報記録装置において、請求項１４に記載の情報記録装置の如く、前記未記録層を特定するための情報は、前記未記録層を除く記録層に関する情報であることとすることができる。
【００３２】
上記請求項１２〜１４に記載の各情報記録装置において、請求項１５に記載の情報記録装置の如く、前記未記録層を特定するための情報は、前記情報記録媒体における管理情報が記録される領域に記録されることとすることができる。
【００３３】
請求項１６に記載の発明は、請求項６〜９のいずれか一項に記載の情報記録媒体から情報を再生することが可能な情報再生装置であって、前記情報記録媒体の複数の記録層のうち再生対象となる記録層にレーザ光を集光する光ピックアップ装置と；前記情報記録媒体から未記録層を特定するための情報を取得する取得手段と；前記未記録層を特定するための情報に基づいて、前記光ピックアップ装置を制御し、前記再生対象となる記録層から情報を再生する処理装置と；を備える情報再生装置である。
【００３４】
これによれば、請求項６〜９のいずれか一項に記載の情報記録媒体から情報の再生を行う際には、情報記録媒体から未記録層を特定するための情報を取得し、この情報に基づいて光ピックアップ装置を制御しつつ、再生対象となる記録層から情報の再生が行われる。この場合には、予め取得した未記録層を特定するための情報に基づいて再生対象となる記録層にレーザ光が確実に集光するように光ピックアップ装置を制御することができるので、情報記録媒体に記録された情報を安定して再生することが可能となる。
【００３５】
この場合において、請求項１７に記載の情報再生装置の如く、前記処理装置は、前記未記録層を特定するための情報に基づいて特定された未記録層への前記レーザ光の集光を禁止することとすることができる。
【００３６】
上記請求項１６及び１７に記載の各情報再生装置において、請求項１８に記載の情報再生装置の如く、前記処理装置は、アドレスの読み込みエラーがあると、前記未記録層を特定するための情報に基づいて、前記レーザ光の集光位置を調整することとすることができる。
【発明を実施するための最良の形態】
【００３７】
《第１の実施形態》
以下、本発明の第１の実施形態を図１〜図１１に基づいて説明する。図１には本発明の第１の実施形態に係る情報記録装置及び情報再生装置としての光ディスク装置２０の概略構成が示されている。
【００３８】
この図１に示される光ディスク装置２０は、情報記録媒体としての光ディスク１５を回転駆動するためのスピンドルモータ２２、光ピックアップ装置２３、該光ピックアップ装置２３をスレッジ方向に駆動するためのシークモータ２１、レーザ制御回路２４、エンコーダ２５、駆動制御回路２６、再生信号処理回路２８、バッファＲＡＭ３４、バッファマネージャ３７、インターフェイス３８、フラッシュメモリ３９、ＣＰＵ４０及びＲＡＭ４１などを備えている。なお、図１における矢印は、代表的な信号や情報の流れを示すものであり、各ブロックの接続関係の全てを表すものではない。また、本実施形態では、一例として、スパイラル状又は同心円状のトラックが形成された２つの記録層（記録層Ｌ０、Ｌ１とする）を有する２層ＤＶＤ＋Ｒが光ディスク１５に用いられるものとする。
【００３９】
前記光ピックアップ装置２３は、前記スパイラル状又は同心円状のトラックが形成された光ディスク１５の記録対象となる記録層にレーザ光を照射するとともに、その記録層からの反射光を受光するための装置である。この光ピックアップ装置２３は、光源としての半導体レーザ、該半導体レーザから出射された光束を光ディスク１５の記録層に導く対物レンズを含み、前記記録層で反射された戻り光束を所定の受光位置まで導く光学系、前記受光位置に配置され戻り光束を受光する受光器、及び駆動系（フォーカシングアクチュエータ及びトラッキングアクチュエータ）など（いずれも図示省略）を備えている。
【００４０】
前記再生信号処理回路２８は、前記光ピックアップ装置２３を構成する受光器からの出力信号に基づいて、サーボ信号（フォーカスエラー信号やトラックエラー信号など）、クロック信号、及びＲＦ信号などを生成する。ここで生成されたサーボ信号は前記駆動制御回路２６に出力され、クロック信号はエンコーダ２５に出力される。また、前記再生信号処理回路２８は、前記ピックアップ装置２３からの出力信号からアドレス情報を検出し、アドレス情報が検出された場合にはこれをＣＰＵ４０に出力し、検出できなかった場合には、アドレスアラーム信号をＣＰＵ４０に出力する。さらに、再生信号処理回路２８はＲＦ信号に対して復号処理及び誤り検出処理などを行い、誤りが検出されたときには誤り訂正処理を行った後、再生データとして前記バッファマネージャ３７を介して前記バッファＲＡＭ３４に格納する。
【００４１】
前記駆動信号生成回路２６は、再生信号処理回路２８からのトラックエラー信号に基づいて、トラッキング方向に関する前記対物レンズの位置ずれを補正するための前記トラッキングアクチュエータの駆動信号を生成するとともに、フォーカスエラー信号に基づいて、前記対物レンズのフォーカスずれを補正するための前記フォーカシングアクチュエータの駆動信号を生成する。ここで生成された各駆動信号は光ピックアップ装置２３に出力される。これにより、トラッキング制御及びフォーカス制御が行われる。また、駆動制御回路２６は、ＣＰＵ４０の指示に基づいて、シークモータ２１を駆動するための駆動信号、及びスピンドルモータ２２を駆動するための駆動信号を生成する。各駆動信号は、それぞれシークモータ２１及びスピンドルモータ２２に出力される。
【００４２】
前記バッファＲＡＭ３４には、光ディスク１５に記録するデータ（記録用データ）、及び光ディスク１５から再生したデータ（再生データ）などが一時的に格納される。このバッファＲＡＭ３４へのデータの入出力は、前記バッファマネージャ３７によって管理されている。
【００４３】
前記エンコーダ２５は、ＣＰＵ４０の指示に基づいてバッファＲＡＭ３４に蓄積されている記録用データをバッファマネージャ３７を介して取り出し、データの変調及びエラー訂正コードの付加などを行ない、光ディスク１５への書き込み信号を生成する。ここで生成された書き込み信号はレーザ制御回路２４に出力される。
【００４４】
レーザ制御回路２４は、光ピックアップ装置２３を構成する前記半導体レーザから出射されるレーザ光のパワーを制御する。例えば記録の際には、前記書込み信号、記録条件、及び半導体レーザの発光特性などに基づいて半導体レーザの駆動信号がレーザ制御回路２４にて生成される。
【００４５】
前記インターフェイス３８は、上位装置９０（例えば、パソコン）との双方向の通信インターフェイスであり、ＡＴＡＰＩ（AT Attachment Packet Interface）、ＳＣＳＩ（Small Computer System Interface）及びＵＳＢ（Universal Serial Bus）などの標準インターフェイスに準拠している。
【００４６】
前記フラッシュメモリ３９は、ＣＰＵ４０にて解読可能なコードで記述されたプログラム、記録ストラテジ情報を含む記録条件、及び半導体レーザの発光特性などが格納されている。
【００４７】
前記ＣＰＵ４０は、フラッシュメモリ３９に格納されているプログラムに従って前記各部の動作を制御するとともに、制御に必要なデータなどをＲＡＭ４１及びバッファＲＡＭ３４に保存する。
【００４８】
《記録方式》
ここで、２つの記録層を有する光ディスクへの記録方式について図２（Ａ）〜図３（Ｄ）を用いて説明する。２つの記録層を有する光ディスクへの記録方法としては、ＯＴＰ（Opposite track path）方式とＰＴＰ（Parallel track path）方式とがある。
【００４９】
ＰＴＰ方式では、一例として図２（Ａ）に示されるように、記録層Ｌ０には内周側から外周側に向かって、リードイン・ゾーン（Lead-in Zone）（ＬＩＺ０）、データ・ゾーン（Data Zone）（ＤＺ０）、リードアウト・ゾーン（Lead-out Zone）（ＬＯＺ０）が設けられている。
【００５０】
また、記録層Ｌ１も同様に内周側から外周側へ向かって、リードイン・ゾーン（ＬＩＺ１）、データ・ゾーン（ＤＺ１）、リードアウト・ゾーン（ＬＯＺ１）が設けられている。各記録層Ｌ０，Ｌ１においてはリードイン・ゾーンからリードアウト・ゾーンへ向かって連続した物理アドレスが割り振られている。
【００５１】
ユーザデータの記録はまず、記録層Ｌ０のリードイン・ゾーン（ＬＩＺ０）の一部にリードイン（ＬＩ）を記録した後、アドレスＡ（３００００ｈ）から始まるデータ・ゾーン（ＤＺ０）へユーザデータ（ＵＤ）の記録を開始する。アドレスＢ（２６０５４０ｈ）までユーザデータ（ＵＤ）の記録が完了すると、一旦記録層Ｌ０のリードイン・ゾーン（ＬＩＺ０）の残りの部分にリードイン（ＬＩ）を記録し、リードアウト・ゾーン（ＬＯＺ０）にデータ・ゾーン（ＤＺ０）の終端を示すリードアウト（ＬＯ）を記録する。一例として図２（Ｂ）には、記録層Ｌ０の記録が終了した状態が示されている。そして、図２（Ｃ）に示されるように、記録層Ｌ１のリードイン・ゾーン（ＬＩＺ１）の一部にリードイン（ＬＩ）を記録したのち、前記記録層Ｌ１のデータ・ゾーン（ＤＺ１）へ残りのユーザデータ（ＵＤ）の記録を開始する。このユーザデータ（ＵＤ）の記録が完了すると、図２（Ｄ）に示されるように、リードイン・ゾーン（ＬＩＺ１）の残りの部分にリードイン（ＬＩ）を記録し、ユーザデータ（ＵＤ）の記録が終了したアドレス（ＬＡ）から残りの領域にリードアウト（ＬＯ）を記録する。
【００５２】
ＯＴＰ方式では、図３（Ａ）に示されるように、記録層Ｌ０には内周側から外周側に向かって、リードイン・ゾーン（ＬＩＺ）、データ・ゾーン（ＤＺ０）及びミドル・ゾーン（Middle Zone）（ＭＺ０）が設けられている。また、記録層Ｌ１では外周側から内周側に向かって、ミドル・ゾーン（ＭＺ１）、データ・ゾーン（ＤＺ１）及びリードアウト・ゾーン（ＬＯＺ）が設けられている。そして、記録層Ｌ０ではリードイン・ゾーン（ＬＩＺ）からミドル・ゾーン（ＭＤ０）へ向かって連続した物理アドレスが割り振られ、記録層Ｌ１ではミドル・ゾーン（ＭＤ１）からリードアウト・ゾーン（ＬＯＺ）へ向かって、記録層Ｌ０の物理アドレスをビット反転したアドレスが割り振られている。記録層Ｌ１ではミドル・ゾーンからリードアウト・ゾーンに向かって物理アドレスが増加していくこととなる。
【００５３】
ユーザデータの記録はまず、記録層Ｌ０のリードイン・ゾーン（ＬＩＺ）の一部にリードイン（ＬＩ）を記録した後、アドレスＡ（３００００ｈ）から始まるデータ・ゾーン（ＤＺ０）にユーザデータ（ＵＤ）の記録を開始し、ユーザデータ（ＵＤ）の記録がアドレスＢまで完了すると、記録層Ｌ１のデータ・ゾーン（ＤＺ１）に残りのユーザデータ（ＵＤ）を記録する。一例として図３（Ｂ）には、ユーザデータ（ＵＤ）の記録が終了した状態が示されている。次に、図３（Ｃ）に示されるように、記録層Ｌ０のリードイン・ゾーン（ＬＩＺ）の残りの部分にリードイン（ＬＩ）を記録し、記録層Ｌ０のミドル・ゾーン（ＭＤ０）及び記録層Ｌ１のミドル・ゾーン（ＭＤ１）に所定の情報を記録する。そして、図３（Ｄ）に示されるように、ユーザデータ（ＵＤ）の記録が終了したアドレス（ＬＡ）から残りの領域にリードアウト（ＬＯ）を記録する。
【００５４】
《記録処理》
次に、上位装置９０から記録要求コマンドを受信したときの光ディスク装置２０における記録処理について図４を用いて説明する。この図４に示されるフローチャートは、ＣＰＵ４０によって実行される一連の処理のアルゴリズムに対応し、上位装置９０から記録要求コマンドを受信すると、図４のフローチャートに対応するプログラムの先頭アドレスがＣＰＵ４０のプログラムカウンタにセットされ、記録処理がスタートする。また、前提として光ディスク１５はブランクディスクであるものとし、記録はディスクアットワンスで行われるものとする。
【００５５】
最初のステップ５０１では、所定の線速度（又は角速度）で光ディスク１５が回転するように駆動制御回路２６に指示するとともに、上位装置９０から記録要求コマンドを受信した旨を再生信号処理回路２８へ通知する。また、上位装置９０から受信したユーザデータ（記録用データ）のバッファＲＡＭ３４への蓄積をバッファマネージャ３７に指示する。
【００５６】
次のステップ５０３では、光ディスク１５の回転が所定の線速度（又は角速度）に達していることを確認すると、駆動制御回路２６に対してサーボオンを設定する。これにより、トラッキング制御及びフォーカス制御が行われる。なお、トラッキング制御及びフォーカス制御は記録処理が終了するまで随時行われる。
【００５７】
次のステップ５０５では、記録要求コマンドで指定されたアドレスに対応する目標位置近傍に光スポットが形成されるように、駆動制御回路２６に指示する。これにより、シーク動作が行われる、なお、シーク動作が不要であれば、ここでの処理はスキップされる。
【００５８】
次のステップ５０７では、記録要求コマンドに応じてエンコーダ２５に書き込みの開始を指示する。
【００５９】
次のステップ５０９では、ユーザデータの記録が完了したか否かを判断する。完了していない場合にはここでの判断は否定され、所定時間経過後に再度判断する。記録が完了している場合には、ここでの判断は肯定され、次のステップ５１１へ移行する。
【００６０】
次のステップ５１１では、光ディスク１５に記録されたユーザデータの最終アドレスＬＡを取得する。
【００６１】
次のステップ５１３では、前記ステップ５１１で取得した最終アドレスＬＡに基づいて、該最終アドレスＬＡの属する記録層を特定する。例えば図５（Ａ）及び図５（Ｂ）に示されるように最終アドレスＬＡが記録層Ｌ０に属している場合には、記録層Ｌ０が特定される。
【００６２】
図４に戻り、次のステップ５１５では、前記ステップ５１１の特定結果に基づいて、光ディスク１５の記録層のうち、データが記録されていない未記録層が有るか否かを判断する。例えば、前記ステップ５１３で最終アドレスＬＡが属する記録層として記録層Ｌ０が特定された場合には、記録層Ｌ１が未記録層であるため、ここでの判断が肯定されステップ５１７へ移行する。
【００６３】
次のステップ５１７では、未記録層を特定するための情報としての記録層Ｌ１が未記録層であることを示す記録層情報を、リードイン・ゾーンに記録する。この記録層情報は、
リードイン・ゾーンを構成するコントロールデータ・ゾーン（Control Data Zone）のフィジカルフォーマットインフォメーション（Physical Format Information）の１８バイト目に記録される（図６〜図８参照）。本実施形態では、この記録層情報は、（０１ｈ）は記録層Ｌ０のみに情報が記録されていることを示し、（０２ｈ）は記録層Ｌ１のみに情報が記録されていることを示し、（００ｈ）は録層Ｌ０，Ｌ１ともに情報が記録されていることを意味している。従って、ここでは記録層Ｌ０のみに情報が記録されているため（０１ｈ）が記録層情報として記録されることとなる。
【００６４】
次のステップ５１９では、図５（Ｃ）及び図５（Ｄ）に示されるように、前記ステップ５１１で取得した最終アドレスＬＡの次のアドレスからリードアウトを記録して、クローズ処理を行う。
【００６５】
次のステップ５２５では、駆動制御回路２６に対してサーボオフを指示し、記録処理を終了する。
【００６６】
一方、前記ステップ５１３で特定された記録層が記録層Ｌ１である場合には、前記ステップ５１５での判断が否定され次のステップ５２１へ移行する。
【００６７】
次のステップ５２１では、記録層Ｌ１及び記録層Ｌ２が記録層であることを示す記録層情報００ｈを、リードイン・ゾーンに記録する。
【００６８】
次のステップ５２３では、ユーザデータの記録をＰＴＰ方式で行った場合には、一例として図９（Ａ）に示されるように、記録層Ｌ１に属している最終アドレスＬＡ以降にリードアウトＬＯを記録する。なお、図９（Ｂ）に示されるように、リードアウトを記録した後、ダミーデータＤＤを残りの未記録領域に記録しても良いし、図９（Ｃ）に示されるように、最終アドレスＬＡから、リードアウト・ゾーンまでの間の領域にダミーデータＤＤを記録して、リードアウト・ゾーンにリードアウトＬＯを記録しても良い。
【００６９】
また、ユーザデータの記録をＯＴＰ方式で行った場合には、一例として、図１０（Ａ）に示されるように、第２記録層Ｌ１に属している最終アドレスＬＡ以降にリードアウトＬＯを記録する。そして、前記ステップ５２５に行移行する。
【００７０】
なお、図１０（Ｂ）に示されるように、リードアウトを記録した後、ダミーデータＤＤを残りの未記録領域に記録しても良いし、図１０（Ｃ）に示されるように、最終アドレスＬＡから、リードアウト・ゾーンまでの間の領域にダミーデータＤＤを記録して、リードアウト・ゾーンにリードアウトＬＯを記録しても良い。
【００７１】
《再生処理》
次に、上位装置９０から再生要求コマンドを受信したときの光ディスク装置２０における再生処理について図１１を用いて説明する。図１１に示されるフローチャートは、ＣＰＵ４０によって実行される一連の処理のアルゴリズムに対応し、上位装置９０から再生要求コマンドを受信すると、図１１のフローチャートに対応するプログラム（以下、「第１の再生処理プログラム」ともいう）の先頭アドレスがＣＰＵ４０のプログラムカウンタにセットされ、再生処理がスタートする。
【００７２】
最初のステップ６０１では、再生速度に基づいてスピンドルモータ２２の回転を制御するための制御信号を駆動制御回路２６に出力するとともに、上位装置９０からの再生要求コマンドを受信した旨を再生信号処理回路２８に通知する。
【００７３】
次のステップ６０３では、光ディスク１５の回転が所定の線速度（又は角速度）に達していることを確認すると、駆動制御回路２６に対してサーボオンを設定する。これにより、トラッキング制御及びフォーカス制御が行われる。なお、トラッキング制御及びフォーカス制御は再生処理が終了するまで随時行われる。
【００７４】
次のステップ６０５では、記録層Ｌ０のリードイン・ゾーンに記録されている前記記録層情報を取得してＲＡＭ４１へ格納する。
【００７５】
次のステップ６０７では、再生信号処理回路２８に読み取り指示する。
【００７６】
次のステップ６０９では、再生要求コマンドで指定されたアドレスに対応する目標位置近傍にレーザ光が集光するように、駆動制御回路２６に指示する。これにより、シーク動作が行われる。なお、シーク動作が不要であれば、ここでの処理はスキップされる。
【００７７】
次のステップ６１１では、再生信号処理回路２８から出力されるアドレスアラーム信号の有無を判断する。光ピックアップ装置２３からの再生信号にアドレス情報が含まれていない場合には、再生信号処理回路２８からアドレスアラーム信号が出力されるため、ここでの判断は肯定され、次のステップ６１７へ移行する。
【００７８】
次のステップ６１７では、前記ステップ６０５で取得した記録層情報の値に基づいて、光ディスクに未記録層が有るか否かを判断する。前記記録層情報の値が（０１ｈ）である場合には、ここでの判断は肯定されステップ６１９へ移行する。
【００７９】
次のステップ６１９では、前記ステップ６０５で取得してＲＡＭ４１に格納された記録層情報の値に基づいて、光ピックアップを介してレーザ光を記録層Ｌ０に集光するように集光位置の調整を行い、ステップ６１１へ移行する。そしてステップ６１１での判断が否定されるまで、ステップ６１１→ステップ６１７→ステップ６１９→ステップ６１１の処理が繰り返し行なわれる。
【００８０】
また、前記記録層情報の値が（００ｈ）である場合は、ここでの判断は肯定され次のステップ６２１へ移行する。
【００８１】
次のステップ６２１では上位装置９０に対し再生エラーを通知する。
【００８２】
次のステップ６１５で駆動制御回路２６に対してサーボオフを指示して処理を終了する。
【００８３】
一方、前記ステップ６１１において、光ピックアップ装置２３からの再生信号にアドレス情報が含まれている場合は、再生信号処理回路２８からはアドレスアラーム信号が出力されないため、ここでの判断が否定され次のステップ６１３へ移行する。
【００８４】
次のステップ６１３では、読み込みが完了したか否かを判断する。完了していない場合にはここでの判断が否定され、ステップ６１１へ移行する。そして、ここでの判断が肯定されるまでステップ６１３→ステップ６１１→ステップ６１３の処理が繰り返し行なわれる。一方、読み込みが完了している場合には、ここでの判断は肯定され、次のステップ６１５へ移行し駆動制御回路２６に対してサーボオフを指示して再生処理を終了する。
【００８５】
以上の説明から明らかなように、本第１の実施形態に係る光ディスク装置では、光ピックアップ装置２３、レーザ制御回路２４、及びエンコーダ２５とによって記録手段が構成され、ＣＰＵ４０と該ＣＰＵ４０にて実行されるプログラムとによって処理装置及び取得手段が実現されている。
【００８６】
また、本第１の実施形態では、ステップ５１５の処理によって本発明に係る記録方法の未記録層が存在するか否かを判断する工程が実施され、ステップ５１７によって未記録層を特定するための情報を記録する工程が実施されている。
【００８７】
また、本第１の実施形態では、ステップ６１１〜ステップ６１９の処理によって本発明に係る再生方法のレーザ光の集光位置を調整する工程が実施されている。
【００８８】
なお、上記ＣＰＵ４０によるプログラムに従う処理によって実現した処理装置又は取得手段の少なくとも一部をハードウェアによって構成することとしても良いし、あるいは全てをハードウェアによって構成することとしても良い。
【００８９】
以上説明したように、本第１の実施形態に係る光ディスク装置２０（情報記録装置、情報再生装置）によると、２つの記録層（Ｌ０，Ｌ１）を有する光ディスク１５（情報記録媒体）へ、ユーザデータの記録が完了すると、記録層Ｌ１にユーザデータが記録されているか否かが判断され、ユーザデータが記録されていない場合には、記録層Ｌ１にはユーザデータが記録されていないことを示す記録層情報が、記録層Ｌ０のリードイン・ゾーンに記録される。従って、従来のように記録層Ｌ１に何らかのデータを記録する必要がなくなるため、結果として情報記録媒体への情報の記録を短時間で行うことが可能となる。
【００９０】
また、本実施形態に係る光ディスク装置２０によると、ユーザデータの再生を行う際には、光ディスク１５の記録層Ｌ０のリードイン・ゾーンに記録されている記録層情報を予め取得し、この記録層情報に基づいて記録層Ｌ１に情報が記録されているか否かを判断し、その判断の結果、記録層Ｌ１が未記録層である場合には、レーザ光が常時記録層Ｌ０に集光するように光ピックアップ装置を駆動しつつ情報の再生が行われるので、未記録層がある場合にも情報記録媒体に記録された情報を安定して再生することができる。
【００９１】
なお、上記第１の実施形態では、ユーザデータの書き込みが終了したときの最終アドレスＬＡに基づいて情報記録媒体に未記録層があるか否かの判断を行っているが、本発明がこれに限定されるものではなく、記録するユーザデータの量が予めわかっている場合にはそのユーザデータの量に基づいて情報記録媒体に未記録層が存在するか否か判断しても良い。このときには、ユーザデータを記録する前に未記録層が存在することとなるか否かを判断しても良い。
【００９２】
また、上記第１の実施形態では、記録層情報をフィジカルフォーマットインフォメーションの１８バイト目に記録する場合について説明したが、本発明がこれに限定されるものではなく、他の未使用のバイト位置に記録することとしても良い。
【００９３】
また、上記第１の実施形態では、記録層情報をフィジカルフォーマットインフォメーション（Physical format information）に記録する場合について説明したが、本発明がこれに限定されるものではなく、他の未使用位置に記録することとしても良い。
【００９４】
また、上記第１の実施形態では、記録層情報をリードイン・ゾーンに記録する場合について説明したが、本発明がこれに限定されものではなく、リードアウト・ゾーン又はデータ・ゾーンに記録層情報を記録する領域を設けることとしても良い。
【００９５】
また、上記第１の実施形態では、ディスクアットワンスで記録を行う場合について説明したが、本発明がこれに限定されるものではない。上位装置９０からのディスククローズ命令を受けたときに、記録層情報の記録を行えば良い。
【００９６】
《第２の実施形態》
次に本発明の第２の実施形態を図１２に基づいて説明する。この第２の実施形態は、前記第１の再生処理プログラムと異なるプログラム（以下、「第２の再生処理プログラム」ともいう）が用いられる点に特徴を有し、光ディスク装置の構成は、前述した第１の実施形態と同様である。従って、以下においては、第１の実施形態との相違点を中心に説明するとともに、前述した第１の実施形態と同一若しくは同等の構成部分については同一の符号を用い、その説明を簡略化若しくは省略するものとする。
【００９７】
以下、第２の実施形態に係る、光ディスク装置２０における再生処理について説明する。図１２に示されるフローチャートは、ＣＰＵ４０によって実行される一連の処理アルゴリズムに対応し、上位装置９０からの再生要求コマンドを受信すると、図１２のフローチャートに対応するプログラム（第２の再生処理プログラム）の先頭アドレスがＣＰＵ４０のプログラムカウンタにセットされ、再生処理がスタートする。
【００９８】
最初のステップ７０１では、再生速度に基づいてスピンドルモータ２２の回転を制御するための制御信号を駆動制御回路２６に出力するとともに、上位装置９０からの再生要求コマンドを受信した旨を再生信号処理回路２８に通知する。
【００９９】
次のステップ７０３では、光ディスク１５の回転が所定の線速度（又は角速度）に達していることを確認すると、駆動制御回路２６に対してサーボオンを設定する。これにより、トラッキング制御及びフォーカス制御が行われる。なお、トラッキング制御及びフォーカス制御は再生処理が終了するまで随時行われる。
【０１００】
次のステップ７０５では、リードイン・ゾーンに記録されている記録層情報の値を取得してＲＡＭ４１へ格納する。
【０１０１】
次のステップ７０７では、前記ステップ７０５で取得された記録層情報の値に基づいて、光ディスクの記録層に未記録層が有るか否かを判断する。前記記録層情報の値が（０１ｈ）である場合は、ここでの判断は肯定され次のステップ７０９へ移行する。一方、前記記録層情報の値が（００ｈ）である場合はここでの判断が否定され、ステップ７０９での処理をスキップしてステップ７１１へ移行する。
【０１０２】
ステップ７０９では、未記録層である記録層Ｌ１へのレーザ光のフォーカスジャンプを禁止する。すなわち、記録層Ｌ１へのレーザ光の集光を禁止する。
【０１０３】
次のステップ７１１では、再生信号処理回路２８に読み込みを指示する。
【０１０４】
次のステップ７１３では、再生要求コマンドにより指定されたアドレスに対応する目標位置近傍にレーザ光が集光されるように、駆動制御回路２６に指示する。これにより、シーク動作が行われる。なお、シーク動作が不要であれば、ここでの処理はスキップされる。
【０１０５】
次のステップ７１５では、読み込みが完了したか否かを判断する。完了していない場合にはここでの判断が否定され、所定時間経過後に再度判断する。完了している場合には、ここでの判断が肯定され、次のステップ７１７へ移行する。
【０１０６】
次のステップ７１７では、駆動制御回路２６に対してサーボオフを指示して処理を終了する。
【０１０７】
以上の説明から明らかなように、本第２の実施形態に係る光ディスク装置では、第１の実施形態に係る光ディスク装置と同様に、ＣＰＵ４０と該ＣＰＵ４０にて実行されるプログラムとによって取得手段及び処理装置が実現されている。
【０１０８】
また、本第２の実施形態では、ステップ７０９の処理によって本発明に係る再生方法のレーザ光の集光禁止を設定する工程が実施されている。
【０１０９】
なお、上記ＣＰＵ４０によるプログラムに従う処理によって実現した取得手段又は処理装置の少なくとも一部をハードウェアによって構成することとしても良いし、あるいは全てをハードウェアによって構成することとしても良い。
【０１１０】
以上説明したように、本第２の実施形態に係る光ディスク装置２０によると、再生を行う際には、光ディスク１５の記録層Ｌ０のリードイン・ゾーンに記録されている未記録層を特定するための情報を予め取得し、この情報に基づいて記録層Ｌ１にユーザデータが記録されているか否かを判断し、記録層Ｌ１が未記録層である場合には、レーザ光を記録層Ｌ１に集光させるのを禁止するので、記録層Ｌ１が未記録層である場合にも情報を安定して再生することができる。すなわち、複数の記録層を有する情報記録媒体に記録された情報を安定して再生することが可能となる。
【０１１１】
なお、上記各実施形態では、光ディスク１５が２つの記録層を有する場合について説明したが、これに限らず、３つ以上の記録層を有しても良い。
【０１１２】
また、上記各実施形態では、記録層情報が（０１ｈ）である場合には、記録層Ｌ０のみに情報が記録されていることを示し、（０２ｈ）である場合には、記録層Ｌ１のみに情報が記録されていることを示し、（００ｈ）である場合には記録層Ｌ０，Ｌ１ともに情報が記録されていることを示している場合について説明したが、これに限らず、例えば（０１ｈ）が記録層Ｌ０に情報が記録されていないことを示し、（０２ｈ）が記録層Ｌ１に情報が記録されていないことを示し、（００ｈ）が記録層Ｌ０，Ｌ１ともに情報が記録されていることを示すこととしても良い。
【０１１３】
また、上記各実施形態では、情報記録媒体として２層ＤＶＤ＋Ｒを用いる場合について説明したが、本発明がこれに限定されるものではなく、複数の記録層を有するＤＶＤ−ＲＷ（DVD-rewritable）、ＤＶＤ＋ＲＷ（DVD+rewritable）、ＤＶＤ−Ｒ（DVD-recordable）、波長が約４０５ｎｍのレーザ光に対応する情報記録媒体等であってもよい。
【０１１４】
また、上記各実施形態における再生処理では、情報記録媒体として２層ＤＶＤ＋Ｒを用いる場合について説明したが、本発明がこれに限定されるものではなく、記録層情報が記録された再生専用の複数の記録層を有する情報記録媒体（例えば、片面２層ＤＶＤ−ＲＯＭ）であっても良い。
【０１１５】
また、上記各実施形態では、光ピックアップ装置２３が１つの半導体レーザを備える場合のみならず、互いに異なる波長の光束を発光する複数の半導体レーザを備えていても良い。この場合に、例えば波長が約４０５ｎｍの光束を発光する半導体レーザ、波長が約６６０ｎｍの光束を発光する半導体レーザ及び波長が約７８０ｎｍの光束を発光する半導体レーザの少なくとも１つを含んでいても良い。すなわち、光ディスク装置が互いに異なる規格に準拠した複数種類の光ディスクに対応する光ディスク装置であっても良い。この場合、少なくとも１つの光ディスクが多層ディスクであっても良い。
【図面の簡単な説明】
【０１１６】
【図１】本発明の第１の実施形態に係る光ディスク装置の構成を示すブロック図である。
【図２】図２（Ａ）〜図２（Ｄ）は、それぞれＰＴＰ方式を説明するための図である。
【図３】図３（Ａ）〜図３（Ｄ）は、それぞれＯＴＰ方式を説明するための図である。
【図４】図１の光ディスク装置を用いた記録処理を説明するためのフローチャートである。
【図５】図５（Ａ）〜図５（Ｄ）はそれぞれ図４の記録処理を説明するための図である。
【図６】リードイン・ゾーンを説明するための図である。
【図７】図６のリードイン・ゾーンを構成するコントロールデータ・ゾーンを説明するための図である。
【図８】記録層情報が記録される位置を説明するための図である。
【図９】図９（Ａ）〜図９（Ｃ）は、それぞれ記録方式としてＰＴＰ方式が用いられる場合を説明するための図である。
【図１０】図１０（Ａ）〜図１０（Ｃ）は、それぞれ記録方式としてＯＴＰ方式が用いられる場合を説明するための図である。
【図１１】第１の実施形態に係る再生処理を説明するためのフローチャートである。
【図１２】第２の実施形態に係る再生処理を説明するためのフローチャートである。
【図１３】図１３（Ａ）及び（Ｂ）は、それぞれ従来のディスククローズ処理を説明するための図である。
【符号の説明】
【０１１７】
１５…光ディスク（情報記録媒体）、２０…光ディスク装置（情報記録装置、情報再生装置）、２３…光ピックアップ装置（記録手段の一部）、２４…レーザ制御回路（記録手段の一部）、２５…エンコーダ（記録手段の一部）、４０…ＣＰＵ（判断手段、取得手段、処理装置）、
【図１】
2005346785.tif 000003
【図２】
2005346785.tif 000004
【図３】
2005346785.tif 000005
【図４】
2005346785.tif 000006
【図５】
2005346785.tif 000007
【図６】
2005346785.tif 000008
【図７】
2005346785.tif 000009
【図８】
2005346785.tif 000010
【図９】
2005346785.tif 000011
【図１０】
2005346785.tif 000012
【図１１】
2005346785.tif 000013
【図１２】
2005346785.tif 000014
【図１３】
2005346785.tif 000015